(57)【要約】      （修正有）【課題】ショートパス現象を防止し、意匠性に優れた引出し型乾燥キャビネットを提供する。【解決手段】前方に開口部１２０を有した収納空間を有するキャビネット本体１２１と、該開口部を閉鎖する前板５を有し、該キャビネット本体の収納空間に、前後に引出し自在に収納される引出し部５０と、上記収納空間内に温風を供給する乾燥手段とを備えて構成され、引出し部に収容された収容物を乾燥する引出し型乾燥キャビネット４であって、上記乾燥手段に連通する吸気口部材６と収納空間内の空気を排気するための排気口部材７とが、上記引出し部を上記収納空間に収納した状態において、上記前板の上端と上記収納空間の上側開口縁との間に介在するよう、間隔を空けて左右両側に分けて配置されている。【選択図】図３
2009254661.tif 000002
【特許請求の範囲】
【請求項１】
前方に開口部を有した収納空間を有するキャビネット本体と、該開口部を閉鎖する前板を有し、該キャビネット本体の収納空間に、前後に引出し自在に収納される引出し部と、上記収納空間内に温風を供給する乾燥手段とを備えて構成され、引出し部に収容された収容物を乾燥する引出し型乾燥キャビネットであって、
上記乾燥手段に連通する吸気口部材と収納空間内の空気を排気するための排気口部材とが、上記引出し部を上記収納空間に収納した状態において、上記前板の上端と上記収納空間の上側開口縁との間に介在するよう、間隔を空けて左右両側に分けて配置されていることを特徴とする引出し型乾燥キャビネット。
【請求項２】
請求項１において、
上記吸気口部材と上記排気口部材との間には、ライン型の取っ手部が配置されていることを特徴とする引出し型乾燥キャビネット。
【請求項３】
請求項１又は請求項２において、
上記乾燥手段から上記収納空間内に温風を噴き出す送風口が、吸気ダクトを介して収納空間内後方の奥側に開口して設けられていることを特徴とする引出し型乾燥キャビネット。
【請求項４】
請求項１乃至請求項３のいずれか１項において、
乾燥指令スイッチを備えた操作部が、上記吸気口部材と一体に設けられていることを特徴とする引出し型乾燥キャビネット。
【請求項５】
請求項４において、
上記吸気口部材はキャビネット本体側に設けられていることを特徴とする引出し型乾燥キャビネット。
【発明の詳細な説明】
【技術分野】
【０００１】
本発明は、キッチンのフロアキャビネットなどに組込んで使用される引出し型乾燥キャビネットに関する。
【背景技術】
【０００２】
上述のような引出し型乾燥キャビネットを備えたフロアキャビネットとしては、下記特許文献１及び下記特許文献２に開示されているものがある。
これらは、食器洗い乾燥機のように食器を洗う機能は備えていないが、軽く水切りさせたまな板などの調理器具やフキンなどを収納して乾燥する機能を備えている。
【特許文献１】特開２００６−３２０５５０号公報
【特許文献２】特開２００６−３４１００４号公報
【発明の開示】
【発明が解決しようとする課題】
【０００３】
しかしながらこのような引出し型乾燥キャビネットにおいて、意匠性を重視し、引出し部の前板に設けられたライン型の取っ手部と並ぶよう隣接させて一列に吸気口部材及び排気口部材を設けようとすると、排気口部材から排気された湿った空気が隣接する吸気口部材から再び吸引される所謂ショートパス現象が起こってしまうことが問題となる。
【０００４】
本発明は、上記課題を解決するために提案されたもので、ショートパス現象を防止し、意匠性に優れた引出し型乾燥キャビネットを提供することを目的としている。
【課題を解決するための手段】
【０００５】
上記課題を解決するために、本発明に係る引出し型乾燥キャビネットは、前方に開口部を有した収納空間を有するキャビネット本体と、該開口部を閉鎖する前板を有し、該キャビネット本体の収納空間に、前後に引出し自在に収納される引出し部と、上記収納空間内に温風を供給する乾燥手段とを備えて構成され、引出し部に収容された収容物を乾燥する引出し型乾燥キャビネットであって、上記乾燥手段に連通する吸気口部材と収納空間内の空気を排気するための排気口部材とが、上記引出し部を上記収納空間に収納した状態において、上記前板の上端と上記収納空間の上側開口縁との間に介在するよう、間隔を空けて左右両側に分けて配置されていることを特徴とする。
【０００６】
本発明において、上記吸気口部材と上記排気口部材との間には、ライン型の取っ手部が配置されているものとすることができる。また上記乾燥手段から上記収納空間内に温風を噴き出す送風口が、吸気ダクトを介して収納空間内後方の奥側に開口して設けられているものとすることができる。
更に、乾燥指令スイッチを備えた操作部が、上記吸気口部材と一体に設けられているものとしてもよく、上記吸気口部材はキャビネット本体側に設けられているものとしてもよい。
【発明の効果】
【０００７】
本発明の引出し型乾燥キャビネットによれば、吸気口部材と排気口部材とが、前板の上端と上記収納空間の上側開口縁との間に介在するよう、間隔を空けて左右両側に分けて配置されているので、バランスよく吸気口部材と排気口部材とが設けられ、意匠性に優れたものとすることができる。また吸気口部材と排気口部材とが間隔を空けて設けられているので、排気口部材から排気された湿った空気が吸気口部材から再び吸気されてしまうことがない。よって従来の問題として挙げたショートパス現象を防止することができるので、乾燥手段による乾燥効率を向上させることができる。
【０００８】
吸気口部材と上記排気口部材との間には、ライン型の取っ手部が配置されているものとすれば、吸気口部材と排気口部材との間の空間を有効活用できる。しかも、ライン型の取っ手であるため、引出し部を収納すると、これら（取っ手部、排気口部材、吸気口部材）が横一線に並んで構成され、統一感のある意匠性に優れた外観とすることができる。
【０００９】
乾燥手段から上記収納空間内に温風を噴き出す送風口が、吸気ダクトを介して収納空間内後方の奥側に開口して設けられているので、収納空間内に効率よく温風を供給することができ、引出し型乾燥キャビネットに収納されたまな板などの収容物を効率よく乾燥させることができる。
乾燥指令スイッチを備えた操作部が、上記吸気口部材と一体に設けられたものとすれば、一体性のあるコンパクトな構成とすることができる。また吸気口部材側に設けられたものとすれば、排気口部材から排気される空気の影響を受けることがないので、排気された空気の影響で操作部が故障するおそれがない。更にユーザによる操作時に、排気される空気に当たることもないので、ユーザによる操作もし易いものとすることができる。
また吸気口部材がキャビネット本体側に設けられたものとすれば、引出し部の前板をすっきりと構成することができる。
【発明を実施するための最良の形態】
【００１０】
以下に、本発明の実施の形態について、図面を参照しながら説明する。
図１は本発明に係る引出し型乾燥キャビネットの正面図、図２は同引出し型乾燥キャビネットを備えたフロアキャビネットの全体斜視図、図３は図２と同様図であり、引出し型乾燥キャビネットの引出し部を引出した状態を示した図、図４は同引出し型乾燥キャビネットの概略縦断面図、図５は同引出し型乾燥キャビネットの模式的平面図、図６は同引出し型乾燥キャビネットの変形例であり、図４と同様図、図７は同引出し型乾燥キャビネットの変形例であり、図５と同様図である。
【００１１】
まずは図１〜図５に基づいて、本発明の引出し型乾燥キャビネットについて説明する。
図２及び図３に示すようにフロアキャビネット１は、キッチンの床面に設置され、水栓２１を備えたシンク２やコンロなどの加熱機器３などを備えたカウンター部１１と、引出式或いは扉式とした収納部、ビルトイン式グリル（不図示）などを備えたキャビネット部１２とを備えている。カウンター部１１のカウンター本体１１０は、人造大理石或いはステンレスなどからなり、調理台などとして使用される。シンク２は、エポキシ系樹脂などからなる人造大理石或いはステンレスなどからなり、野菜や食器、フキンなどを洗ったりする場所として使用される。
【００１２】
キャビネット部１２には、台所用具等の引出し部５０に収容された収容物を乾燥可能な引出し型乾燥キャビネット４を備えている。
引出し型乾燥キャビネット４は、前方に開口部１２０を有した収納空間１０を有するキャビネット本体１２１と、該開口部１２０を閉鎖する前板５を有し、該キャビネット本体１２１の収納空間１０に、前後に引出し自在に収納された引出し部５０と、上記収納空間１０内に温風を供給する乾燥手段６２とを備えている。
キャビネット本体１２１に形成される収納空間１０は、上述のように前方に開口部１２０が形成された矩形の空間となっており、ここに引出し部５０を引出し自在に収納することができるように設計されている。
引出し部５０の前板５上方に位置する部分には、それぞれが収納空間１０に通じる吸気口部材６、排気口部材７とが設けられており、引出し部５０を収納空間１０に収納した状態において、前板５の上端と収納空間１０の上側開口縁との間に介在するよう吸気口部材６と排気口部材７とは間隔ｄ（図５参照）を空けて左右両側に分けて配置されている。
尚、ここでは、吸気口部材６、排気口部材７がキャビネット本体１２１側に設けられている例を図示し説明しているがこれに限定されず、引出し部５０の前板５に取っ手部９とともにこれらが設けられるものとしてもよい。
【００１３】
図１に示すように吸気口部材６には、吸気口６１が形成されており、外気を後記する吸気ダクト６０に取り込む取り込み口として機能する。また、排気口部材７には、排気口７１が形成されており、収納空間１０内に供給された温風を排気する排気口として機能する。
吸気口部材６及び排気口部材７は、図２、図３に示すようにキャビネット部１２の中段に設けられた取っ手部９０の突出状態と同じように前方向に突出して設けられている。引出し部５０が収納された状態においては、引出し部５０の取っ手部９がキャビネット本体１２１に設けられた吸気口部材６及び排気口部材７との間に配置されているので、取っ手部９０とともに横方向に直線的に延びるラインが形成され統一感のあるフロアキャビネット１を構成することができる（図２参照）。
【００１４】
収納空間１０に収納される引出し部５０は、キャビネット部１２の前面と面一になる面を前方とすると、その上方が開口の略箱型形状からなり、前板５、底板５１、背板５２、そして両側部には、パイプ状の線材５３が２本ずつ横設され、台所用品などが収容できる収容空間を形成している。引出し部５０の前板５の上側中央には、横方向に延びたライン型の取っ手部９が設けられている。収納空間１０に収納されるよう形成された引出し部５０は、取っ手部９を把持して前後に移動させると、引出し自在に収納可能となるようガイド部（不図示）を備えている。そして上述のように引出し部５０をキャビネット本体１２１の収納空間１０に収納したときには、取っ手部９が吸気口部材６と排気口部材７との間に形成された空間に、嵌め込まれるようになっている。
引出し部５０の前板５の表面は、化粧面となっており、木目模様、石目、人造大理石柄、天然皮革の表面柄、布目、抽象柄など所望する模様が施されている。
引出し部５０の側部の構成は図例のものに限定されるものではないが、板体が両側に設けられるのではなく、図４に示すように線材５３が横設されており、開放空間が形成されたものとすれば、引出し部５０の開け閉めに影響を与えない程度であれば、側部から収容物が少しはみ出した状態で収納することができるので、収納スペースを広く使うことができる。
【００１５】
図４、図５に示すように乾燥手段６２は、吸気ダクト６０内に設けられている。図４、図５では空気の流れを矢印で示しており、図５では吸気された空気の流れを実線で、排気される空気の流れを点線で示している。
吸気口部材６の吸気口６１と連通して設けられる管状の吸気ダクト６０は、直状体からなり、吸気口部材６が設けられている位置からそのまままっすぐに設けられており、該吸気ダクト６０の一端は吸気口６１に連通する連通口６０１とし、他端は収納空間１０に温風を供給する送風口６０２としている。乾燥手段６２から収納空間１０内に温風を噴き出す送風口６０２は、吸気ダクト６０を介して収納空間１０内後方の奥側に開口されている。
【００１６】
このようにキャビネット本体１２１の収納空間１０内には、吸気ダクト６０が設けられるのみで、その他に配設されるものがなく、収納空間１０を広く使うことができる。また送風口６０２が収納空間１０の上方に設けられているため、背板５２で温風の供給が妨げられることがなく、図４の矢印で示すように収納空間１０の全域に温風を効率よく行渡らせることができる。
乾燥手段６２は、ファン及びヒータ（不図示）を組み合わせたものなどからなり、箱型のハウジング内に収容されて構成される。乾燥手段６２は、タイマ機能を備えたものとしてもよく、後記する操作部８のスイッチ操作によって乾燥手段６２のオンオフ操作及び乾燥手段６２を駆動させる時間として設定することができる。
【００１７】
図１に示すように前板５の前面上端には操作部８が設けられており、乾燥指令スイッチ８１や電源スイッチ８２などで構成される。操作部８の構成は図例のものに限定されず、タイマ時間やエラー内容を表示する液晶表示部を設けたものとしてもよい。
ここに示す操作部８は、吸気口部材６の上方に一体に設けられている。これによれば、一体性のあるコンパクトな構成とすることができる。またこのように吸気口部材６側に設けられたものとすれば、排気口部材７から排気される空気の影響を受けることがないので、排気された空気の影響で操作部８が故障するおそれがなく、排気される空気に当たることもないので、ユーザによる操作もし易いものとすることができる。
【００１８】
次に引出し型乾燥キャビネット４による乾燥機能の使用手順を説明する。ここで参照する図４は引出し部５０が収納空間１０に収納された状態を示しており、図５は説明のため引出し部５０を図示していない。
まずは引出し部５０の取っ手９を持って、引出し部５０を引出し（図３参照）、洗い終わったまな板或いはフキン、皿などを引出し部５０内に収容する。取っ手部９を持って、引出し部５０を収納空間１０に収納する（図２参照）。
操作部８を操作してタイマ設定操作を行い、乾燥指令スイッチ８１をオンすると乾燥手段６２が駆動する。乾燥手段６２のファンが起動して吸気口６１から外気を取り込む。取り込まれた空気は吸気ダクト６０の連通口６０１を通じて吸気ダクト内を流通する。流通してきた空気はヒータによって温められる。その後、温められ温風となった空気は送風口６０２から収納空間１０へと供給される（図４、図５参照）。収納空間１０内へ供給された温風は収納空間内１０を循環して引出し部５０内に収容されたまな板などの収容物を乾燥する。
そして排気口７１からは随時収納空間１０内から漏れ出る空気が排気される。
【００１９】
このとき、吸気口６１と排気口７１とは間隔ｄを空けて設けられているため、排気口７１から排気された湿った空気が吸気口６１から再び吸気されてしまうことがない。よって従来の問題として挙げたショートパス現象を防止することができる。また温風を送風する送風口６０２と排気口７１とが図５に示すように対角線上に設けられ、離れているので、収納空間１０に供給されたばかりの温風が排気口７１からすぐに排気されるといった現象も防ぐことができる。よって、乾燥手段６２による乾燥効率を非常によいものとすることができる。
【００２０】
操作部８で設定されたタイマ時間の間、乾燥手段６２を駆動させた後、タイマ時間が経過すると乾燥が終わったことを液晶表示或いは、ブザー（不図示）を鳴動させてユーザに知らせ、乾燥工程が終了となる。
尚、乾燥機能の使用手順は上述の例に限定されるものではなく、操作部８での設定内容もこれに限定されるものではなく、操作部８によって一時停止などの操作を行えば、乾燥途中でも引出し部５０から乾燥中のものを取り出して使用することもできる。
【００２１】
次に図６、図７に基づいて引出し型乾燥キャビネット４の変形例について説明する。
ここに示す例は、吸気口部材６側に設けられた吸気ダクト６０の構造及び排気口部材７側に排気ダクト７０が設けられている点で上述の例とは異なるものである。尚、上述の例と共通する部分には共通する符号を付し、共通する部分の説明は割愛する。
キャビネット本体１２１の収納空間１０内には、断面Ｌ字型形状の管状吸気ダクト６０が配設されている。吸気口部材６の吸気口６１と連通して設けられる管状の吸気ダクト６０は、吸気口部材６が設けられている位置から収納空間１０奥側に配設される。吸気ダクト６０の一端は吸気口６１に連通する連通口６０１とし、他端は収納空間１０に温風を供給する送風口６０２としている。送風口６０２は、収納空間１０の奥側の下方に設けられ、収納空間１０側に温風が供給されるよう収納空間１０側に向けて開口されている。
尚、吸気ダクト６０内に乾燥手段６２が設けられる点は共通するので説明を割愛する。
【００２２】
収納空間１０に収納される引出し部５０の構成は基本的に上述の例と同様であるが、吸気ダクト６０がＬ字型であるため、背板５２に開口部５２０が設けられている点で異なる。背板５２には、送風口６０２から供給される温風がスムーズに収納空間１０内を流通するよう送風口６０２と対面する位置に開口部５２０が形成されている。
【００２３】
図７に示すようにこの例では排気口部材７側に排気ダクト７０が設けられている点でも上述の例とは異なる。
排気口部材７の排気口７１と連通して設けられる管状の排気ダクト７０は、排気口部材７が設けられている位置からそのまま直線的に延びて配設される。排気ダクト７０の一端は排気口７１に連通する連通口７０１とし、他端は収納空間１０内循環した温風を排気するために取り込む取込口７０２としている。取込口７０２は、収納空間１０の奥側に設けられ、収納空間１０内の温風が流入してくるよう収納空間１０側に向けて開口されている。
【００２４】
このように吸気ダクト６０がＬ字型に設けられ、温風を収納空間１０内に供給する送風口が収納空間１０の奥側下方に設けられているので、収納空間１０全域に温風を効率よく行渡らせることができる。すなわち温かい空気は上へ上へと上昇する性質を持っており、また温かい空気は冷たい空気がある側へと流れる性質を持っているため、収納空間１０の奥側下方から温風を供給すれば、空気の流れが下から上へと流れ（図６の矢印参照）、排気されるべき行き場を無くした冷たい空気は排気ダクト７０の取込口７０２へと流れていくことなり、理想的な空気の流れを作ることができるのである。
このとき、吸気口６１と排気口７１とは所定の間隔ｄを隔てて設けられているため、排気口７１から排気された湿った空気が吸気口６１から再び吸気されてしまうことがない点は上述と同様である。よってこの例によっても、従来の問題として挙げたショートパス現象を防止することができる。
【００２５】
尚、本発明のフロアキャビネット１、引出し型乾燥キャビネット４の構成及び形状、デザインは図例のものに限定されるものではない。またキッチンのフロアキャビネットに限定されず、洗面台のフロアキャビネットにも適用可能であり、雑巾或いはタオルなどの乾燥に用いることもできる。
【図面の簡単な説明】
【００２６】
【図１】本発明に係る引出し型乾燥キャビネットの正面図である。
【図２】同引出し型乾燥キャビネットを備えたフロアキャビネットの全体斜視図である。
【図３】図２と同様図であり、引出し型乾燥キャビネットの引出し部を引出した状態を示した図である。
【図４】同引出し型乾燥キャビネットの概略縦断面図である。
【図５】同引出し型乾燥キャビネットの模式的平面図である。
【図６】同引出し型乾燥キャビネットの変形例であり、図４と同様図である。
【図７】同引出し型乾燥キャビネットの変形例であり、図５と同様図である。
【符号の説明】
【００２７】
４      引出し型乾燥キャビネット
５      前板
５０      引出し部
１０      収納空間
６      吸気口部材
６０      吸気ダクト
６０１      連通口
６０２      送風口
６１      吸気口
６２      乾燥手段
７      排気口部材
７１      排気口
８      操作部
１２０      開口部
１２１      キャビネット本体
ｄ      間隔
【図１】
2009254661.tif 000003
【図２】
2009254661.tif 000004
【図３】
2009254661.tif 000005
【図４】
2009254661.tif 000006
【図５】
2009254661.tif 000007
【図６】
2009254661.tif 000008
【図７】
2009254661.tif 000009